(57)【特許請求の範囲】
【請求項１】
可撓性を備える軟包材によって形成され、天面部と底面部と側面部とを有して詰替え用内容液を収容する袋状本体部と、袋状本体部の天面部に設けられる台座とを有してなる詰替え用容器であって、
台座は、栓部材を備えて詰替え流出口を形成するための開口予定部と、詰替え流出口のための開口予定部から周辺に張り出て、袋状本体部の天面部の裏面に添って設けられる台座板状部とを含んで構成され、
台座板状部は、詰替え流出口のための開口予定部の周辺で該開口予定部を囲む環状板部を有し、該環状板部の外周部の周辺の複数の位置のそれぞれから張り出てなる複数の張り出し部が形成され、それらの各張り出し部に折曲誘導部を備え、この折曲誘導部に沿って折れ曲がりできるとともに、
台座板状部は、袋状本体部に接合される融着部を各張り出し部に備え、該融着部よりも開口予定部寄りに折曲誘導部を備えており、
袋状本体部の台座が設けられている天面部を除く周囲を把持した手指の把持力によって加圧された内容液の圧力により、袋状本体部の台座が設けられている部分に、台座板状部の張り出し部が環状板部に連設されている基部と、張り出し先端部との間で、折曲誘導部に沿って折れ曲がった折曲形状体が形成され、この折曲形状体が上記内容液の圧力の作用によって外方に突っ張って保形化される詰替え用容器。
【請求項２】
前記台座は、詰替え流出口のための開口予定部を囲んで立上り形成される環状壁を設け、この環状壁に、被詰替え容器の開口部に設けられた注出スパウトの外周形状に沿った内周形状部分を有するガイド部が設けられてなる請求項１に記載の詰替え用容器。
【請求項３】
前記複数の張り出し部は、隣接する張り出し部との間に空隙を有するように形成されてなる請求項１又は２記載の詰替え用容器。
【発明の詳細な説明】
【技術分野】
【０００１】
本発明は詰替え用容器に関する。
【背景技術】
【０００２】
従来、高価な被詰替え容器を空になった都度、廃棄することなく、繰り返し使用するため、例えば特許文献１乃至３に記載の詰替え用容器が用いられている。
【０００３】
特許文献１に記載の詰替え用容器は、ボトル状本体部の口首部に栓部材を取付けて構成される。栓部材は、栓本体部と押出し蓋部とからなる。詰替え用容器のボトル状本体部を把持し、詰替え用容器の栓部材を被詰替え容器の開口部に押し込むことで、栓部材の押出し蓋部を栓本体部から押し出して脱落させることにより、該栓部材に詰替え流出口を開口させ、詰替え用容器の内容液を上記詰替え流出口から被詰替え容器に詰替え可能にするものである。
【０００４】
特許文献２に記載の詰替え用容器は、袋の正面フィルムに詰替え流出口部材を取付けて構成される。詰替え流出口部材は、筒状ガイド部と流出口形成部とからなる。詰替え用容器の正面フィルムを下に向けた状態で、袋に手の平を添えるようにして袋を把持し、詰替え用容器の詰替え流出口部材を被詰替え容器の開口部に押し込むことで、流出口形成部を破断させて詰替え流出口を形成し、詰替え用容器の内容液を上記詰替え流出口から被詰替え容器に詰替え可能にするものである。
【０００５】
特許文献３に記載の詰替え用容器は、袋状本体部の表面又は裏面に台座パーツを接合して構成される。台座パーツは、袋状本体部に把持部を形成する板状の把持プレート部と、把持プレート部に設けられた詰替え流出口の開口予定部とからなる。詰替え用容器を倒立させた状態で、台座パーツの把持プレート部が形成する袋状本体部の把持部を指で把持し、台座パーツを被詰替え容器の開口部に押し込むことで、台座パーツの開口予定部を破断させて詰替え流出口を形成させ、詰替え用容器の内容液を上記詰替え流出口から被詰替え容器に詰替え可能にするものである。
【先行技術文献】
【特許文献】
【０００６】
【特許文献１】特開2013-139267号公報
【特許文献２】特開2015-124008号公報
【特許文献３】特開2013-18522号公報
【発明の概要】
【発明が解決しようとする課題】
【０００７】
特許文献１に記載の詰替え用容器は、詰替え作業時に、ボトル状本体部を安定的に把持して被詰替え容器の開口部に押し込みでき、詰替え流出口を開封し易い。しかしながら、特許文献１に記載の詰替え用容器は、内容液の詰替え終了後も、ボトル状本体部が立体形状を維持して嵩張るため、ボトル状本体部の厚みによっては潰しにくく、廃棄処分しにくい場合がある。
【０００８】
特許文献２に記載の詰替え用容器は、簡単な操作によって、内容液を迅速に詰め替えることができるが、軟包材によって形成された袋が、被詰替え容器の開口部への押し込み時に変形し易く、不安定な状態になって折れ曲がる等により、詰替え流出口を開封しにくい場合がある。
【０００９】
特許文献３に記載の詰替え用容器は、軟包材によって形成された袋状本体部に接合した台座パーツの把持プレート部によって、袋状本体部に把持部を形成する。しかしながら、把持プレート部が形成する袋状本体部の把持部は、把持プレート部の板の両側縁を親指と人差し指とでつまむようにして把持した状態で、被詰替え容器の開口部に押下げるものであって把持しづらく、詰替え流出口を開封しにくい。
【００１０】
本発明の課題は、本体部が軟包材からなるときにも、被詰替え容器の開口部への押し込み操作性に優れて詰替え流出口を開封し易く、かつ製造容易性及び廃棄処分性にも優れる詰替え用容器を提供することにある。
【課題を解決するための手段】
【００１１】
請求項１に係る発明は、可撓性を備える軟包材によって形成され、天面部と底面部と側面部とを有して詰替え用内容液を収容する袋状本体部と、袋状本体部の天面部に設けられる台座とを有してなる詰替え用容器であって、台座は、栓部材を備えて詰替え流出口を形成するための開口予定部と、詰替え流出口のための開口予定部から周辺に張り出て、袋状本体部の天面部の裏面に添って設けられる台座板状部とを含んで構成され、台座板状部は、詰替え流出口のための開口予定部の周辺で該開口予定部を囲む環状板部を有し、該環状板部の外周部の周辺の複数の位置のそれぞれから張り出てなる複数の張り出し部が形成され、それらの各張り出し部に折曲誘導部を備え、この折曲誘導部に沿って折れ曲がりできるとともに、台座板状部は、袋状本体部に接合される融着部を各張り出し部に備え、該融着部よりも開口予定部寄りに折曲誘導部を備えており、袋状本体部の台座が設けられている天面部を除く周囲を把持した手指の把持力によって加圧された内容液の圧力により、袋状本体部の台座が設けられている部分に、台座板状部の張り出し部が環状板部に連設されている基部と、張り出し先端部との間で、折曲誘導部に沿って折れ曲がった折曲形状体が形成され、この折曲形状体が上記内容液の圧力の作用によって外方に突っ張って保形化されるようにしたものである。
【発明の効果】
【００１２】
本発明によれば、本体部が軟包材からなるときにも、被詰替え容器の開口部への押し込み操作性に優れて詰替え流出口を開封し易く、かつ製造容易性及び廃棄処分性にも優れる詰替え用容器を提供することができる。
【図面の簡単な説明】
【００１３】
【図１】図１は詰替え用容器を示す斜視図である。
【図２】図２は詰替え用容器の台座に設けた詰替え流出口の開口予定部を示し、（Ａ）は模式断面図、（Ｂ）は要部拡大図である。
【図３】図３は詰替え用容器の台座を示し、（Ａ）は斜視図、（Ｂ）は側面図である。
【図４】図４は詰替え用容器の使用手順を示す模式図である。
【図５】図５は詰替え用容器の押し込み前状態を示す模式図である。
【図６】図６は詰替え用容器の押し込み状態を示す模式図である。
【図７】図７は詰替え用容器の詰替え終了状態を示す模式図である。
【図８】図８は詰替え用容器の廃棄状態を示す模式図である。
【発明を実施するための形態】
【００１４】
本発明の一実施例に係る詰替え用容器１００は、図１乃至図４に示す如く、可撓性を備える軟包材によって形成された袋状本体部１０と、袋状本体部１０に設けられる台座２０とを有し、液体洗剤、化粧剤、調味料等の詰替え用内容液を収容し、この内容液を被詰替え容器２００に詰替えるものである。詰替え用容器１００は、台座２０を有することで、袋状本体部１０が軟包材からなるときにも、被詰替え容器２００の開口部２１２に備えた注出スパウト２２１への押し込み操作性に優れて詰替え流出口２１を開封し易く、かつ製造容易性及び廃棄処分性にも優れる。
【００１５】
尚、本明細書において、袋状本体部１０の天面、底面、前後、左右とは、図１に示した正立状態の袋状本体部１０において台座２０が設けられる面を天面とするとともに、天面に相対する面を底面とし、天面の面内に設定したＸＹ座標（図１）のＸ方向で天面を挟む一方側を前、他方側を後とし、Ｙ方向で天面を挟む一方側を左、他方側を右とする。
【００１６】
詰替え用容器１００が適用される被詰替え容器２００は、図５乃至図７に示す如く、ボトル状本体部２１０における口首部２１１の開口部２１２に注出キャップ２２０を取付けられて形成されている。注出キャップ２２０は、有底筒状をなすように内周壁の下端部に連設する底面壁（不図示）を備え、この底面壁から立設する注出スパウト２２１を備える。注出スパウト２２１は、ボトル状本体部２１０の内部に連通する開口を備え、詰替え用容器１００の内容液をボトル状本体部２１０に注入可能にするとともに、ボトル状本体部２１０の内容液を外部へ注出可能にする。
【００１７】
詰替え用容器１００の袋状本体部１０を形成する、可撓性を備えた軟包材としては、例えばポリプロピレン、ポリエチレン等のポリオレフィン樹脂、ポリエチレンテレフタレート等のポリエステル樹脂、ナイロン等のポリアミド樹脂の中から選ばれた合成樹脂からなる積層フィルムを採用できる。袋状本体部１０は、積層フィルムの厚さが８０〜２５０μm程度のシート材料からなり、これらの周縁部を熱融着等によって適宜接合して作成され、図１、図２に示す如く（図２で示した模式断面図では、袋状本体部１０を形成している積層フィルムの肉厚について図示省略してある）、天面部１１と底面部１２と前後の側面部１３、１４と左右の天面側端面部１５、１６と左右の底面側端面部１７、１８とを有する。袋状本体部１０は、前後の側面部１３、１４に折り込み状まち部Ｍを備えるとともに、天面部１１及び底面部１２の左側部分で左側の天面側端面部１５及び底面側端面部１７並びに前後の側面部１３、１４を折り込み、天面側端面部１５と底面側端面部１７に連なる舌片状の左端シール部Ｓ1を形成し、天面部１１及び底面部１２の右側部分で右側の天面側端縁部１６及び底面側端面部１８並びに前後の側面部１３、１４を折り込み、天面側端面部１６と底面側端面部１８に連なる舌片状の右端シール部Ｓ2を形成し、内容液を充填したときに、図１に示す如くのガセット袋状をなすように形成される。詰替え用容器１００は、袋状本体部１０における天面部１１の中央部分に、台座２０の後述する環状壁４０が挿通される取付孔（不図示）を備える。
【００１８】
詰替え用容器１００の台座２０は、例えばポリプロピレン、ポリエチレン等の合成樹脂を用いて成形された金型成形品であって、図１、図２に示す如く、詰替え流出口２１を形成するための開口予定部２２と、詰替え流出口２１のための開口予定体部２２から周辺に張り出て、袋状本体部１０の天面部１１に添って設けられる台座板状部３０とを含んで構成される。本実施例の詰替え用容器１００では、開口予定部２２を流出口形成部材２３を備えて構成するものである。本実施例の流出口形成部材２３は、栓部材５０により構成するものとしている。即ち、詰替え流出口２１のための開口予定部２２の周辺に位置する台座板状部３０の中央部分に、袋状本体部１０の天面部１１に直交する外方へ向けて突出する環状壁４０を立設し、この環状壁４０に取付けられる栓部材５０の押出し蓋部５２を栓本体部５１に嵌着させることによって詰替え流出口２１のための開口予定部２２を封止し、押出し蓋部５２を栓本体部５１から脱落させることによって詰替え流出口２１のための開口予定部２２を開封するものとしている。
【００１９】
台座板状部３０は、図３に示す如く、概ね平板状をなし、例えば０．５〜３mm程度の肉厚を有するように成形されることで、中央部分に円形状（角形状でも可）の環状板部３１を有し、この環状板部３１の内周部に袋状本体部１０の外方へ向かって突出する環状壁４０の根元部分を一体に設け、この環状板部３１の外周部に連設されて周辺に張り出る張り出し部３２を有する。
【００２０】
台座板状部３０の張り出し部３２は、環状板部３１に設けた環状壁４０に取付けられる栓部材５０が前述の如くに封止する詰替え流出口２１の開口予定部２２から周辺に張り出るものになる。台座板状部３０は複数の張り出し部３２を有する。各張り出し部３２は、詰替え流出口２１の開口予定部２２の周辺（環状板部３１の外周部の周辺でもある）で該開口予定部２２を囲む複数の位置のそれぞれから張り出ていて、隣接する張り出し部３２との間に空隙を有する。本実施例では、前後左右の四方に張り出る前後一対の張り出し部３２、及び左右一対の張り出し部３２を有する。前後左右の各張り出し部３２の長さは特に規定されないが、袋状本体部１０の全体形状からみて対をなす前後の張り出し部３２の長さを互いに同じにし、対をなす左右の張り出し部３２の長さを互いに同じにすることが好ましい。
【００２１】
また、台座２０の台座板状部３０における張り出し部３２の長さは、袋状本体部１０において台座２０が設けられている下部に後述する折曲形状体３４を確保し、後述する押込力を台座２０に安定的に及ぼし得るようにするため、長い方が好ましい。但し、詰替え用容器１００に使用される樹脂量を少なくするため、張り出し部３２の長さはできるだけ短くし、袋状本体部１０の天面部１１に納まる程度とする。
【００２２】
台座板状部３０は、本実施例では、袋状本体部１０における天面部１１の裏面に添って設けられるものとされ、環状板部３１の上面に円形状融着部３１Ａを突条形成して備えるとともに、各張り出し部３２の上面に直線状融着部３２Ａを突条形成して備える。台座板状部３０は、環状壁４０を袋状本体部１０における天面部１１の中央部分に開けた取付孔（不図示）に該天面部１１の裏面の側から挿通し、台座板状部３０の環状板部３１、張り出し部３２を天面部１１の裏面に添わせて上記融着部３１Ａ、３２Ａを該天面部１１の裏面に加圧しつつ熱融着させて接合されている。裏面は、袋状本体部１０の内面に向いた面であり、表面は外側に向いた面である。
【００２３】
尚、台座板状部３０は、袋状本体部１０における天面部１１の裏面に添って設けられるに際し、環状板部３１及び張り出し部３２を天面部１１の裏面に接着剤を用いて接着しても良く、或いは環状板部３１及び張り出し部３２を天面部１１の裏面に接合することなく、単に添設するものでも良い。また、台座板状部３０は、袋状本体部１０における天面部１１の表面に接合するようにして添設されても良い。
【００２４】
台座板状部３０は、栓部材５０が封止する詰替え流出口２１の開口予定部２２の周辺に形成された張り出し部３２に折曲誘導部３３を備え、この折曲誘導部３３に沿って折り曲げできる。本実施例において、折曲誘導部３３は張り出し部３２における直線状融着部３２Ａよりも開口予定部２２寄りに形成されており、直線状融着部３２Ａと環状板部３１の間に形成されている。折曲誘導部３３は、張り出し部３２の板面に設けた連続状（不連続状でも可）の薄肉部によって形成される。薄肉部は溝加工又は板厚半分に切り込みを入れた半切り加工によって形成できる。本実施例では、栓部材５０が封止する詰替え流出口２１の開口予定部２２の周辺で、該開口予定部２２を囲む前後左右の４位置のそれぞれに張り出し部３２が形成されており、それらの各張り出し部３２に折曲誘導部３３を備える。
【００２５】
台座２０の台座板状部３０に備える折曲誘導部３３は、後述する如くに、袋状本体部１０の台座２０が設けられている下部に該台座２０により形成される折曲形状体３４を形成し、この折曲形状体３４が袋状本体部１０の内容液の圧力の作用によって保形化され、袋状本体部１０に設けた栓部材５０を被詰替え用容器２００の注出スパウト２２１に安定的に押込み可能にするものであり、台座２０の開口予定部２２まわりに形成される環状壁４０から離間して備えるのが良い。また、折曲誘導部３３は曲げ易さの点で直線状とするのが良い。
【００２６】
また、折曲誘導部３３を形成する溝加工又は半切り加工は、曲げ易さの点で、台座板状部３０に設けた環状壁４０が突出している上面側に形成するのが良い。また、台座板状部３０の各張り出し部３２のそれぞれにおいて複数の折り曲げ誘導部３３を形成しても良い。
【００２７】
環状壁４０は、概ね円筒状をなし、例えば５乃至３５mm程度の高さを有するように成形されることで、台座板状部３０の環状板部３１における内周部から袋状本体部１０の外側へ向かって立設する。環状壁４０は栓部材５０の栓本体部５１が螺着される外周ねじ部４１Ｋを備える。
【００２８】
栓部材５０は、図１及び図２に示す如く、栓本体部５１と押出し蓋部５２とからなる。栓部材５０は、栓本体部５１が環状壁４０の外周ねじ部４１Ｋに螺着される結果、環状壁４０が突出する台座板状部３０の板面よりも上方に立上り形成されたものになる。
【００２９】
栓本体部５１は、台座板状部３０における環状壁４０の外周ねじ部４１Ｋに螺着される内周ねじ部５１Ｋを備えた取付筒５１Ａを有するとともに、取付筒５１Ａの内周側に該取付筒５１Ａと同軸をなす筒状のガイド部５１Ｂを有する。ガイド部５１Ｂは、その下端側部分を環状壁４０の内周部に嵌合し、その上端側部分を取付筒５１Ａよりも上方に突出させて備える。栓本体部５１は、ガイド部５１Ｂの内側面から内側に突出する位置合せバー５１Ｃを備える。ガイド部５１Ｂの内側に被詰替え容器２００の注出スパウト２２１を導入したとき、位置合せバー５１Ｃが注出スパウト２２１のＵ字開放部分に挿入されることで当該栓本体部５１の被詰替え容器２００に対する差込み方向を位置合せ可能にする。
【００３０】
押出し蓋部５２は、環状壁４０に取付けられた栓本体部５１におけるガイド部５１Ｂの内周に位置合せバー５１Ｃとは反対側から嵌着され、環状壁４０の内側に位置する詰替え流出口２１のための開口予定部２２を封止する。押出し蓋部５２は、栓本体部５１に差し込まれて押し込まれる被詰替え容器２００の注出スパウト２２１によって、栓本体部５１のガイド部５１Ｂから袋状本体部１０の内側に脱落せしめられて詰替え流出口２１を開封する。
【００３１】
しかるに、詰替え用容器１００から被詰替え容器２００に内容液を詰め替えるときには、詰替え用容器１００の台座２０が設けられている天面部１１を除く周囲を手の平で把持し、この詰替え用容器１００を図４（Ａ）の正立状態から図４（Ｂ）に示す如くに倒立させた状態とし、手指が袋状本体部１０に加える把持力Ｆによって該袋状本体部１０の台座２０が設けられている下部（天面部１１の側）を除く部分を周囲から押圧することにより、袋状本体部１０の内容液を加圧する。これにより、袋状本体部１０は、台座２０が設けられている下部を下方に向けて膨出させた塊状になり、台座２０における台座板状部３１の中央部分で栓部材５０を備えた詰替え流出口２１のための開口予定部２２の周辺において、当該張り出し部３２に備えた折曲誘導部３３に沿って折れ曲がる。
【００３２】
このような塊状になった袋状本体部１０において、台座２０が設けられている下部では、台座板状部３０の張り出し部３２が環状板部３１に連設されている基部３４Ａと、張り出し先端部３４Ｂとの間で、折曲誘導部３３に沿って折れ曲がった折曲形状体３４が形成され、この折曲形状体３４が加圧された内容液の圧力の作用によって外方に突っ張って保形化され、変形しにくくなる。
【００３３】
ここで、張り出し部３２内で折曲誘導部３３を設ける位置は、張り出し部３２内における延出長さの中心位置よりも開口予定部２２寄りに設けることが、被詰替え容器２００の開口部２１２への押し込み時に、開口予定部２２から折曲誘導部３３までの保形を向上する点で好ましい。
【００３４】
従って、袋状本体部１０を把持してその下部に設けた台座２０における詰替え流出口２１の開口予定部２２に設けてある栓部材５０を被詰替え容器２００の開口部２１２に設けた注出スパウト２２１に押し込むとき、袋状本体部１０の台座２０が設けられている下部に該台座２０によって形成された変形しにくい上述の折曲形状体３４を備えているため、袋状本体部１０及び台座２０は揺れ動く等の変位をしにくく、安定した押込力を台座２０に及ぼす。栓部材５０において栓本体部５１に嵌着されて詰替え流出口２１の開口予定部２２を封止している押出し蓋部５２が、注出スパウト２２１によって袋状本体部１０の内側へと押し出され（図６）、詰替え流出口２１が容易に開封される。
【００３５】
詰替え用容器１００において、栓部材５０の詰替え流出口２１が開封されると同時に、詰替え用容器１００の内容液が詰替え流出口２１から被詰替え用容器２００の注出スパウト２２１を経て該被詰替え容器２００に詰め替えられる。被詰替え容器２００への内容液の詰替え終盤時には、図７に示す如く、詰替え用容器１００の袋状本体部１０及び台座２０の台座板状部３０を扁平状にし、袋状本体部１０を台座２０の周囲で折り畳むようにして内容液が絞り出される。このようにして内容液が空になった詰替え用容器１００は、台座板状部３０における張り出し部３２の折れ曲がり状態を平板状に復元するものになり、袋状本体部１０及び台座板状部３０は、図８に示す如くの扁平状体とされて廃棄処分される。
【００３６】
即ち、詰替え用容器１００は、廃棄段階で、可撓性を備える軟包材によって形成された袋状本体部１０と、台座２０を構成する平板状の台座板状部３０とを容易に扁平化でき、その廃棄形態をコンパクト化できる。
【００３７】
また、詰替え用容器１００は、製造段階で、台座２０を構成する平板状の台座板状部３０を袋状本体部１０の表面又は裏面に接合することで、その組立接合設備を簡素化できる。
【００３８】
また、詰替え用容器１００は、袋状本体部１０を把持した倒立状態で、袋状本体部１０の下部に位置することとなる台座２０に取付けられている栓部材５０を被詰替え容器２００の注出スパウト２２１に押し込むとき、栓部材５０が袋状本体部に隠れて見えなくなる。このとき、袋状本体部１０の下部に設けた台座２０の台座板状部３０から外方へ向かって突出している環状壁４０に栓部材５０を取付け、この栓部材５０の栓本体部５１が環状壁４０に螺着されて台座板状部３０の板面よりも該環状壁４０の突出方向である外方へ向かって立上り形成される。これにより、この栓部材５０の栓本体部５１に備えたガイド部５１Ｂは台座板状部３０の板面よりも外方へ向けて立上り形成されたものになる。従って、このガイド部５１Ｂを手掛かりとし、これの内側に被詰替え容器２００の注出スパウト２２１が配置されるように、把持した袋状本体部１０を動かすことで、詰替え用容器１００を被詰替え容器２００に対してスムースに位置決めできる。
【００３９】
また、本実施例の詰替え用容器１０では、台座板状部３０が、栓部材５０を備えた詰替え流出口２１のための開口予定部２２の周辺で該開口予定部２２を囲む各位置のそれぞれに張り出し部３２を備え、それらの各張り出し部３２に折曲誘導部３３を備える。従って、詰替え用容器１００を倒立させた状態で、袋状本体部１０を把持し、この把持力によって袋状本体部１０の少なくとも台座２０が設けられている下部を除いた部分を周囲から押圧し、内容液を加圧するとき、袋状本体部１０の台座２０が設けられている下部において、詰替え流出口２１のための開口予定部２２を囲む周囲の複数位置で、台座板状部３０の張り出し部３２を折れ曲がり状とする折曲形状体３４を形成し、この折曲形状体３４が内容液の圧力の作用によって外方に突っ張って保形化されるものになる。これにより、袋状本体部１０を把持してその下部に設けた台座２０において栓部材５０を備えた詰替え流出口２１のための開口予定部２２を被詰替え容器２００の注出スパウト２２１に押し込むとき、袋状本体部１０及び台座２０は詰替え流出口２１のための開口予定部２２を囲む四方において揺れ動く等の変位をしにくく、安定した押込力を台座２０に及ぼし、詰替え流出口２１を安定的に開封できる。
【００４０】
また、本実施例の詰替え用容器１００では、袋状本体部１０をガゼット袋状からなるものにした。これにより、図４（Ｃ）に示す如く、袋状本体部１０への内容液の充填状態で、袋状本体部１０の天面部１１が底面部１２に対してなす高さ方向間隔Ｈを小さくし、袋状本体部１０を手の平に把持し易くしながら、袋状本体部１０に大きな容量を確保できる。即ち、袋状本体部１０の容量を大きくしながら、袋状本体部１０の高さ方向でより広い範囲を手の平に把持できる。従って、図４（Ｃ）に示す如く、袋状本体部１０が手の平で把持される高さ方向範囲Ｈ1を、台座板状部３０の張り出し部３２が形成した折曲形状体３４の高さ方向範囲Ｈ2に近づけ、袋状本体部１０を把持して台座２０に設けた栓部材５０を被詰替え容器２００に押し込む押込力をより安定的に該台座２０に及ぼすことができる。但し、本発明では、手の平が袋状本体部１０を把持する高さ方向範囲Ｈ1は、図４（Ｃ）に示した範囲よりも袋状本体部１０の下部寄りに延び、台座板状部３０の張り出し部３２が形成する折曲形状体３４の高さ方向範囲Ｈ2に重なるものであっても良い。
【００４１】
また、ガゼット袋状の袋状本体部１０は、立体状をなすときに安定した形状となるように、天面部１１や底面部１２が正方形に近い形となることが好ましい。従って、扁平状をなすように折り畳んだときには、左端シール部Ｓ1から右端シール部Ｓ2までの長さが前側面部１３から後側面部１４までの長さよりも長くなる。
【００４２】
尚、本発明は上記実施形態に限定されることなく種々の変形ができる。例えば、詰替え流出口の開口予定部に備える流出口形成部材は、被詰替え容器の開口部に設けた注出スパウト等によって脱落されて開封される栓部材に限らない。即ち、台座の詰替え流出口の開口予定部に設けられる流出口形成部材としての仕切り部材に薄肉線を設け、被詰替え容器の注出スパウト等によってこの薄肉線を破断させることにより、該詰替え流出口を開封するものでも良い。
【００４３】
また、台座は、台座板状部の板面から突出する環状壁に栓部材の如くの流出口形成部材を設けることなく、この台座板状部の板厚内に詰替え流出口の開口予定部を設け、該開口予定部をその板厚によって封止するとともに、該開口予定部をその板厚の破断によって開封可能にするものでも良い。
【００４４】
また、台座は、詰替え流出口は開口予定部を挟む両側に台座板状部の張り出し部を設けるものに限らず、詰替え流出口の開口予定部を囲む一直線上にない２方向や３方向に張り出し部を設けるものでも良い。
【００４５】
また、袋状本体部はガゼット袋状からなるものに限らず、パウチ状をなすものでも良い。
【産業上の利用可能性】
【００４６】
本発明によれば、本体部が軟包材からなるときにも、被詰替え容器の開口部への押し込み操作性に優れて詰替え流出口を開封し易く、かつ製造容易性及び廃棄処分性にも優れる詰替え用容器を提供することができる。
【符号の説明】
【００４７】
１０  袋状本体部
２０  台座
２１  詰替え流出口
２２  開口予定部
２３  流出口形成部材
３０  台座板状部
３２  張り出し部
３２Ａ  融着部
３３  折り曲げ誘導部
４０  環状壁
５０  栓部材
５１Ｂ  ガイド部
１００  詰替え用容器
２００  被詰替え容器
２１２  開口部
２２１  注出スパウト
【図１】
0006667293.tif 000002
【図２】
0006667293.tif 000003
【図３】
0006667293.tif 000004
【図４】
0006667293.tif 000005
【図５】
0006667293.tif 000006
【図６】
0006667293.tif 000007
【図７】
0006667293.tif 000008
【図８】
0006667293.tif 000009